(57)【要約】【課題】特定の発番号による着信でかつメディア属性がテレビ電話の場合のみテレビドアホン端末装置に着信させる電話システムを提供する。【解決手段】テレビドアホン端末装置(120)を収容する電話制御装置(110)に、所定の電話番号の着信で且つ映像通信を要求する発側通信装置(11)からの着信に応じてテレビドアホン端末装置(120)を呼び出すドアホン呼び出し部(114A-1)と、テレビドアホン端末装置(120)と当該着信呼とを接続して発側通信装置(11)との間で映像通信を開始するドアホン接続部(114A-2)とを設けた。【選択図】図１
2010233179.tif 000002
【特許請求の範囲】
【請求項１】
来訪者の画像を撮像しその画像を映像データとして出力するテレビドアホン端末装置と、電話端末装置と、前記テレビドアホン端末装置と前記電話端末装置とを通信網に対して交換接続する電話制御装置とを有し、
前記電話制御装置は、
着信が映像通信を要求する発側端末からのものであるときは、その着信に応じて前記テレビドアホン端末装置を呼び出すドアホン呼び出し部と、
このドアホン呼び出し部からの呼び出しに応じて前記テレビドアホン端末装置から出力される応答信号を受信すると、前記テレビドアホン端末装置と前記発側端末との通信路を形成して、前記映像データをこの通信路に対して出力するドアホン接続部と
を備えることを特徴とする電話システム。
【請求項２】
請求項１に記載の電話システムにおいて、
前記ドアホン呼び出し部は、着信が前記映像データの画素数により決まる表示画面サイズの条件を含む映像通信を要求する発側端末からのものであるときは、その着信に応じて前記テレビドアホン端末装置を呼び出すことを特徴とする電話システム。
【請求項３】
電話端末装置と、来訪者の画像を撮像してこの画像を映像データとして出力するテレビドアホン端末装置と、前記電話端末装置と前記テレビドアホン端末装置とを通信網に対して交換接続する電話制御装置とを含む電話システムのドアホンリモートアクセス制御方法であって、
着信が映像通信を要求する発側端末装置からのものであるときには、その着信に応じて前記テレビドアホン端末装置を呼び出すドアホン呼び出し手順と、
このドアホン呼出し手順によってなされた呼び出しに応じて前記テレビドアホン端末装置から出力される応答信号を受信すると、前記テレビドアホン端末装置と前記発側端末との通信路を形成して、前記映像データをこの通信路に対して出力するドアホン接続手順と
を有することを特徴とする電話システムのドアホンリモートアクセス制御方法。
【発明の詳細な説明】
【技術分野】
【０００１】
本発明は、電話システムおよびドアホンリモートアクセス制御方法に関し、特に一つ若しくは複数の電話端末装置と、テレビドアホン端末装置と、これら電話端末装置とテレビドアホン端末装置とを通信網に対して交換接続する電話制御装置とを含む電話システムおよび電話システムのドアホンリモートアクセス制御方法に関するものである。
【背景技術】
【０００２】
今日、来訪者の画像を撮影してこの画像を確認するテレビドアホン装置において、セキュリティー対策としての要望から、外部からテレビドアホン装置にアクセスして、テレビドアホン装置が撮影している映像を確認できるといった機能が求められている。このような機能を実現するために、従来のテレビドアホン装置には、留守宅などへの来客情報を外出先の家人などに転送するために、カメラ内蔵の玄関端末などで撮影された画像を電子メールに添付して、家人の携帯電話などの端末装置の電子メールアドレス宛に来客通知メールを送信するものがある。このようなテレビドアホン装置によれば、家人は来客通知メールを受信すると、端末装置でこのメールに添付されている来客者の画像を確認することができる。
また、予め設けられている専用のホームページ（以下、「ＨＰ」という。）を利用して該当するテレビドアホン装置のリンク先にアクセスし、認証手順などを経て該当するテレビドアホン装置との通信が確立することによって、家人は来客者との通話も可能となる（特許文献１）。
【０００３】
しかしながら、上述した方法では、テレビドアホン装置の通信相手となる家人の携帯電話などの端末装置から、インターネットに接続して専用のＨＰにアクセスしなければならない。すなわち、予め専用のＨＰを用意すると同時にこのようなＷＥＢ上のアプリケーションを構成するためのサーバー装置などの設備が別途必要となるといった問題があった。
【０００４】
このような問題に対して、内線端末が接続され、この内線端末を通信網に対して交換接続する機能を有するボタン電話装置やＰＢＸ(Private Branch Exchange)システムといった電話システムを活用する方法がある。この方法は、テレビドアホン装置を内線端末として収容させた電話システムに、このテレビドアホン装置を呼び出す専用の着信電話番号を設定して、この専用電話番号への着信に応じてテレビドアホン装置が応答するものである。
このような電話システムにおいては、テレビドアホン装置に着信専用の電話番号を割り当て、外部の携帯電話などの端末装置からのその着信専用の電話番号への発信に応じてテレビドアホン装置が応答して、発側端末とテレビドアホン装置との間に映像通信を確立する。したがって、専用のＨＰやサーバー装置といった設備を予め用意することなく、外部の端末装置からテレビドアホン装置へアクセスでき、このテレビドアホン装置が撮影する映像を確認することが可能となる。
【先行技術文献】
【特許文献】
【０００５】
【特許文献１】特開２００２−２８１１８０号公報
【発明の概要】
【発明が解決しようとする課題】
【０００６】
しかしながら、上述のような方法では、テレビドアホン装置との通信に使用する着信専用の電話番号を別途に用意する必要があった。この着信専用の電話番号への着信には、通常の音声電話機によって応答することができず、電話番号の有効活用ができないといった問題があった。さらには、テレビドアホン装置との通信に使用する着信専用の電話番号を別途に用意することから、通信コストがかさむといった問題があった。
【０００７】
本発明は、上記のような問題を解決すべく、外部からテレビドアホン装置へ容易にアクセスできる電話システムを提供することを目的とする。
【課題を解決するための手段】
【０００８】
上述の目的を達成するために、本発明は、来訪者の画像を撮像しその画像を映像データとして出力するテレビドアホン端末装置と、電話端末装置と、前記テレビドアホン端末装置と前記電話端末装置とを通信網に対して交換接続する電話制御装置とを有し、前記電話制御装置は、着信が映像通信を要求する発側端末からのものであるときは、その着信に応じて前記テレビドアホン端末装置を呼び出すドアホン呼び出し部と、このドアホン呼び出し部からの呼び出しに応じて前記テレビドアホン端末装置から出力される応答信号を受信すると、前記テレビドアホン端末装置と前記発側端末との通信路を形成して、前記映像データをこの通信路に対して出力する映像通信を開始するドアホン接続部とを電話システムに設けたことを特徴とする。
また、本発明の電話システムのドアホン呼び出し部は、着信が前記映像データの画素数により決まる表示画面サイズの条件を含む映像通信を要求する発側端末からのものであるときは、その着信に応じて前記テレビドアホン端末装置を呼び出すこととしても良い。
【発明の効果】
【０００９】
本発明によれば、着信が映像通信を要求する発側端末からのものであるときには、その着信に応じてテレビドアホン端末装置を呼び出し応答させることができる、すなわち、着信呼の着信種別を判断してこの着信呼の着信先を決定することができる。したがって、一つの電話番号において、音声通信のみを要求する着信呼と映像通信を要求する着信呼との着信先を選択して呼び出す内線端末を決めることができる。
このことから、テレビドアホン端末装置との通信に使用する着信専用の電話番号を別途用意する必要がなくなり、電話番号を有効活用できるようになる。さらに、テレビドアホン端末装置が収容されている電話システムへ映像通信を要求する発信を行うことによりテレビドアホン端末装置との映像通信を確立することができ、外部からテレビドアホン端末装置が撮影している映像を容易に確認することが可能となる。
【図面の簡単な説明】
【００１０】
【図１】本発明の第１の実施の形態に係る電話システムの構成を示すブロック図である。
【図２】第１の実施の形態に係る電話システムを構成する電話制御装置の動作を示すフローチャートである。
【図３】第１の実施の形態に係る電話システムを構成するテレビドアホン端末装置の動作を示すフローチャートである。
【図４】第１の実施の形態に係る電話システムにおいて、外部から電話システムに発信してテレビドアホン端末装置と映像通信を行う場合の動作を示すシーケンス図である。
【図５】第１の実施の形態に係る電話システムにおいて、外部から電話システムに発信して音声通信を行う場合の動作を示すシーケンス図である。
【図６】第２の実施の形態に係る電話システムの構成を示すブロック図である。
【図７】第２の実施の形態に係る電話システムを構成する電話制御装置の動作を示すフローチャートである。
【図８】第２の実施の形態に係る電話システムにおいて、外部から電話システムに発信してテレビドアホン端末装置と映像通信を行う場合の動作を示すシーケンス図である。
【図９】第２の実施の形態に係る電話システムにおいて、外部からの電話システムへの発信に対してテレビドアホン端末装置と映像通信を行わない場合の動作を示すシーケンス図である。
【発明を実施するための形態】
【００１１】
以下、図面を参照し、本発明の実施の形態について説明する。
【００１２】
［第１の実施の形態］
図１は本発明の第１の実施の形態に係る電話システムの構成を示すブロック図である。
本実施の形態に係る電話システムは、内線端末が接続され、この内線端末を通信網に対して交換接続するボタン電話装置やＰＢＸシステムといった電話システムであって、テレビドアホン装置と電話装置とを内線端末として収容するとともに、着信呼の着信種別に応じてこの着信呼の着信先をテレビドアホン装置若しくは電話装置のいずれかを選択して呼び出すものである。
【００１３】
図１に示すように、本実施の形態に係る電話システム１０は、電話制御装置１１０とテレビドアホン端末装置１２０と電話端末装置１３０（１３０−１〜１３０−ｎ）とから構成されている。
電話制御装置１１０は、ネットワーク１に接続されるとともに、このネットワーク１に対して交換接続する内線端末であるテレビドアホン装置１２０と電話端末装置１３０とを収容する。電話制御装置１１０は、このネットワーク１を介して通信装置１１などの通信相手から音声や映像ならびにそれらを含んだパケット通信の呼び出し信号を受信して、この呼び出し信号に応じた着信応答処理を行い、収容する内線端末と通信相手との通信を確立する。
ここで、電話制御装置１１０が接続するネットワーク１には、インターネットやＩＰ電話などのパケット通信を行うＩＰネットワークや、公衆電話回線網（ＰＳＴＮ：Public Switched Telephone Networks）などが用いられる。
【００１４】
この電話制御装置１１０は、外線Ｉ／Ｆ部１１１と内線Ｉ／Ｆ部１１２とスイッチ部１１３とＣＰＵ（中央演算装置）１１４とメモリ１１５とから構成されている。
外線Ｉ／Ｆ部１１１は、ネットワーク１との接続制御を行う。内線Ｉ／Ｆ部１１２は、テレビドアホン端末装置１２０又は電話端末装置１３０との接続制御を行う。スイッチ部１１３は外線Ｉ／Ｆ部１１１と内線Ｉ／Ｆ部１１２との間に選択的に通信路を形成してネットワーク１と内線端末とを選択的に接続する。
【００１５】
ＣＰＵ１１４は、後述するメモリ１１５に格納されている各種プログラムと協働することによって、電話制御装置１１０の動作を制御する制御部１１４Ａとして作用する。
この制御部１１４Ａは、ネットワーク１からの着信を検出して、収容する内線端末を呼び出したり、この呼び出しに内線端末が応答すると、スイッチ部１１３を制御して、この応答した内線端末とネットワーク１とを交換接続したりする。
本実施の形態に係る電話システムにおいては、制御部１１４Ａは、ネットワーク１からの着信が所定の条件を満たすときはその着信に応じてテレビドアホン端末装置１２０を呼び出すドアホン呼び出し部１１４Ａ−１と、テレビドアホン端末装置１２０からの応答信号を受信すると、テレビドアホン端末装置１２０と発側端末との通信路を形成して、映像データをこの通信路に対して出力するドアホン接続部１１４Ａ−２を備えている。
【００１６】
メモリ１１５には、ＣＰＵ１１４の動作に必要なプログラム、テレビドアホン端末装置１２０に接続を許可する電話番号（以下、「ドアホンリモートアクセス許可番号情報」という。）、自装置が収容する内線端末（テレビドアホン端末装置１２０および他の電話端末装置１３０）の装置性能などの装置情報が記憶されている。また、このメモリ１１５には、自装置が収容する内線端末の通話状態などの動作状態情報が記憶される。
【００１７】
一方、テレビドアホン端末装置１２０は、内線Ｉ／Ｆ部１２１と撮像部１２２と音声入出力部１２３とＣＰＵ１２４とメモリ１２５とから構成されている。
内線Ｉ／Ｆ部１２１は、電話制御装置１１０との接続制御を行う。撮像部１２２は、カメラを備え動画若しくは静止画を撮像し、この撮像した動画若しくは静止画を映像データとして出力する。音声入出力部１２３は、マイク、スピーカ、アンプを備え、これらにより音声データの入出力を行う。ＣＰＵ１２４は、メモリ１２５に格納されているプログラムや情報に従って動作し、テレビドアホン端末装置１２０の制御全般を行う制御部として機能する。メモリ１２５には、テレビドアホン端末装置１２０の動作に必要なプログラム、自装置の装置性能情報が記憶されており、また、自装置の動作状態情報についても記憶される。
【００１８】
次に、本実施の形態に係る電話システムの動作について、図２と図３を参照して電話制御装置１１０とテレビドアホン端末装置１２０との動作を説明する。
本実施の形態において、電話制御装置１１０の制御部１１４Ａは、ドアホンリモートアクセス許可番号情報に合致する電話番号から着信を受けると、テレビドアホン端末装置１２０を呼び出す前にこの着信に対して一旦応答して（以後「仮応答」とする。）、発側端末に対する接続認証を行った後にテレビドアホン端末装置１２０を呼び出す呼制御を行うが、その他の電話番号からの着信については通常着信として他の電話端末装置１３０を呼び出す呼制御を行う。
図２は、本実施の形態に係る電話システムを構成する電話制御装置１１０の動作を示すフローチャートである。図２に示すように、電話制御装置１１０は外線Ｉ／Ｆ部１１１によって着信呼を受ける。このとき、ドアホン呼び出し部１１４Ａ−１は、この着信呼がメモリ１１５に登録されているドアホンリモートアクセス許可番号情報と一致するか否かを判定する（S10-m）。
ドアホンリモートアクセス許可番号情報に登録されている電話番号と一致しなかった場合（S10-mで「No」）、電話制御装置１１０は、通常の音声通信による着信呼と判断して、音声電話機などの電話端末装置１３０に対してこの着信呼を接続する呼制御を行う（S11-m）。
【００１９】
この着信呼が、ＩＰネットワークを介して受信したＶｏＩＰ（Voice Over Internet Protocol）によるＩＰ電話のものであって、ドアホンリモートアクセス許可番号情報に登録されている電話番号と一致した場合、（S10-mで「Yes」）、引き続きドアホン呼び出し部１１４Ａ−１によって、この着信呼の着信種別が確認される。着信種別には、音声通信を要求する着信呼、映像通信を要求する着信呼、テキスト通信を要求する着信呼などがあるが、ドアホン呼び出し部１１４Ａ−１はこの着信呼の着信種別が映像通信を要求するものであるか否かを判定する（S12-m）。
【００２０】
ここで、ドアホン呼び出し部１１４Ａ−１が着信種別を判定する方法の一例について説明する。ドアホン呼び出し部１１４Ａ−１が着信種別を判定するこの着信呼は、ＶｏＩＰに則った所定のデータ形式を有している。この所定のデータ形式は、複数の情報が含まれており、この複数の情報の中には着信種別に関する情報であるメディアタイプの属性情報も含まれている。
したがって、ドアホン呼び出し部１１４Ａ−１は、着信種別を示すメディアタイプの属性情報に映像通信を要求する「Ｖｉｄｅｏ」属性が含まれているか否かを判断することによって、着信種別を判定することができる。
【００２１】
着信種別が映像通信を要求するものではなかった場合（S12-mで「No」）、電話制御装置１１０は、通常の音声通信による着信呼と判断して、音声電話機などの電話端末装置１３０に対してこの着信呼を接続する呼制御を行う（S11-m）。
着信種別が映像通信を要求するものであった場合（S12-mで「Yes」）、電話制御装置１１０はこの着信呼の発信元である通信装置１１に対して認証動作を行う(S13-m)。
この認証動作は、例えば上述した着信呼の判定処理の後に、電話制御装置１１０がこの着信呼に仮応答して、通信相手である通信装置１１に対して暗証番号などの認証情報を問い合わせればよい。
なお、本実施の形態に係る電話システムにおいて、上述した認証動作を電話制御装置１１０によって行っているが、テレビドアホン端末装置１２０が同様の認証動作を行うようにしても良い。
【００２２】
認証動作によって認証ＯＫとなった後に、ドアホン接続部１１４Ａ−２は、テレビドアホン端末装置１２０を呼び出す呼制御を行う（S14-m）。
また、認証動作によって認証ＮＧとなった着信呼に対しては、テレビドアホン端末装置１２０を呼び出すことができない旨のメッセージを表示する等の所定動作を電話制御装置１１０によって行う。また、この着信呼を音声通信の着信呼とすることによって他の内線端末に対して呼び出しを行うようにしても良い。
なお、電話制御装置１１０はこの着信呼に対して上述した認証動作を省略しても良い。
【００２３】
次に、ドアホン接続部１１４Ａ−２は、テレビドアホン端末装置１２０に対して呼び出しを行った後に、テレビドアホン端末装置１２０からこの着信呼に対する着信応答を受信すると、スイッチ部１１３を制御することによって外線Ｉ／Ｆ部１１１と内線Ｉ／Ｆ部１１２との間にこの着信呼の通信路を形成して、テレビドアホン端末１２０とネットワーク１とを接続し、通信端末１１とテレビドアホン端末装置１２０との両者間による映像通信を開始させる（S15-m）。
【００２４】
電話制御装置１１０は、テレビドアホン端末装置１２０と通信端末１１との映像通信開始後は、この映像通信の切断要求の受信待機状態となり（S16-m）、切断要求を受信しない間は（S16-mで「No」）、この呼を維持する。切断要求を受信した場合には（S16-mで「Yes」）外線Ｉ／Ｆ部１１１、内線Ｉ／Ｆ部１１２に対して切断信号を出力し（S17-m）、この呼を切断する（S18-m）。
【００２５】
次に、テレビドアホン端末装置１２０の動作について、図３に示すフローチャートを参照し説明する。
図３に示すように、テレビドアホン端末装置１２０は、電話制御装置１１０によって制御された呼び出しを内線Ｉ／Ｆ部１２１を介して受信する（S10-d）。
この呼び出しを受信すると、テレビドアホン端末装置１２０は撮像部１２３を起動して（S11-d）、電話制御装置１１０へこの呼び出しに対する応答信号を内線Ｉ／Ｆ部１２１を介して送信する（S12-d）。
応答信号を受信した電話制御装置１１０によって通信路が形成されると、テレビドアホン端末装置１２０は、撮像部１２３によって撮影された映像を所定のフォーマットに変換し、内線Ｉ／Ｆ部１２１を介して電話制御装置１１０に対して出力する。さらに、音声入出力部１２２によって集音した音声についても所定のフォーマットに変換し、内線Ｉ／Ｆ部１２１を介して電話制御装置１１０へ出力し、映像データと音声データの双方を出力するようにしても良い。
また、通信端末１１から送信される映像データや音声データを受信して、テレビドアホン端末装置１２０の図示しない表示部に受信した映像データを表示し、音声入出力部１２２から受信した音声データを再生するようにしてもよい。
【００２６】
テレビドアホン端末装置１２０は、通信端末１１との間の映像通信開始後は、電話制御装置１１０からの切断信号の受信待機状態となり（S13-d）、切断信号を受信しない間は（S13-dで「No」）、映像通信（又は映像音声通信）を継続する。切断信号を受信した場合は（S13-dで「Yes」）、撮像部１２３（映像音声通信実行時は音声入出力部１２２も含む）を停止して（S14-d）、ドアホン端末装置１２０を待機状態へ移行させる。
【００２７】
次に、通信装置１１と本実施の形態に係る電話システム１０との動作シーケンスについて説明する。図４は、本実施の形態に係る電話システム１０において通信装置１１によって外部から電話システム１０にアクセスしテレビドアホン端末装置１２０と映像通信を行う場合の動作シーケンスを示す図である。
図４に示すように、電話システム装置１０の電話制御装置１１０は、電話番号［ｂｂｂ］が割り当てられているものとする。また予めドアホンリモートアクセス許可番号情報として［ａａａ］が設定されている（S100）。
【００２８】
電話番号が［ａａａ］である通信装置１１によってテレビドアホン端末装置１２０へアクセスするために、この通信装置１１から電話番号［ｂｂｂ］へ映像通信を要求する発信を行う（S101）。
この着信呼を受けた電話制御装置１１０は、着信呼の判定を行う（S102）。電話制御装置１１０は、着信番号がドアホンリモートアクセス許可番号情報に登録されている番号と一致しており且つ映像通信を要求する着信呼であるので、テレビドアホン端末装置１２０を呼び出す呼制御を開始する。
【００２９】
電話制御装置１１０は、着信呼の判定の後に通信装置１１に対して仮応答し、テレビドアホン端末装置１２０への接続認証動作を行う（S103）。認証がＯＫならば、この着信呼に対してテレビドアホン端末装置１２０を呼び出し、認証がＮＧならば、テレビドアホン端末装置を呼び出せない旨のメッセージなどを通信相手へ送信するなどの所定動作を行う（S104）。
【００３０】
電話制御装置１１０は、この着信呼に対してテレビドアホン端末装置１２０を呼び出す（S105）。この着信呼に対する呼び出しを受信したテレビドアホン端末装置１２０は、撮像部１２３を起動して（S106）、電話制御装置１１０へこの着信呼に対する着信応答を送信する（S107）。
【００３１】
テレビドアホン端末装置１２０からの着信応答を受信した電話制御装置１１０は、通信装置１１とテレビドアホン端末装置１２０との通信路を形成して映像通信を開始させる（S108）。必要に応じて音声通信も付加した映像音声通信を行っても良い。
【００３２】
この映像通信（若しくは映像音声通信）の切断要求を受信した電話制御装置１１０は（S109）、切断信号を出力する。電話制御装置１１０が切断要求を受信した場合は、テレビドアホン端末装置１２０に対して切断信号を出力した後（S110）、通信を切断する（S113）。通信装置１１が切断要求を受信した場合、ネットワーク１に対して切断信号を出力し、通信を切断する（S113）。
電話制御装置から出力された切断信号を受信したテレビドアホン端末装置１２０は、撮像部１２３（映像音声通信実行時は音声入出力部１２２を含む）を停止し（S111）、待機状態へ移行する（S112）。
【００３３】
次に、本実施の形態において、外部から通信装置１１によって電話システム１０にアクセスし通常着信として音声通信を行う場合の電話システム１０の動作シーケンスを図５を参照して説明する。図５に示すように、電話制御装置１１０は、電話番号［ｂｂｂ］が割り当てられており、ドアホンリモートアクセス許可番号情報として［ａａａ］が設定されているものとする（S100）。
【００３４】
電話番号が［ａａａ］である通信装置１１から、電話番号［ｂｂｂ］へ通常の音声通信によって発信した場合（S1001）、この着信呼を受けた電話制御装置１１０は、着信呼の判定を行う（S1002）。
電話制御装置１１０は、着信番号がドアホンリモートアクセス許可番号情報に登録されている番号と一致しているが、着信種別が映像通信を要求するものではないので、この着信呼を通常の音声通信による着信として呼制御を開始する（S1002）。
【００３５】
電話制御装置１１０は、着信呼の判定の後、この着信呼に対して電話端末装置１３０を呼び出す（S1003）。この着信呼に対する呼び出しを受信した電話端末装置１３０は、着信呼に対して応答して音声通信を開始する（S1004）。
この音声通信を電話端末装置１３０によって切断する場合、電話端末装置１３０は音声通信を切断し（S1005）、切断信号を電話制御装置１１０に対して出力して（S1006）、着信待機状態へ移行する（S1007）。
電話制御装置１１０は電話端末装置１３０から出力された切断信号を受信すると、この音声通信を切断して、呼を解放する（S1007）。
通信装置１１によって音声通信を切断する場合は、ネットワーク１に対して切断信号を出力し、通信を切断する（S1007）。
【００３６】
このように、予め設定されている発番号からの着信であるとともに、映像通信を要求する発側端末からの着信に応じてテレビドアホン端末装置を呼び出すことにより、音声通信を要求する着信呼と映像通信を要求する着信呼との呼び出し先を、電話システムに収容されているテレビドアホン端末装置と電話端末装置のうち適切な装置に振り分けることができる。したがって、テレビドアホン端末装置と映像通信するための専用の電話番号を用意する必要がなくなり、電話番号を有効活用できるようになる。予め設定されている電話番号を有する通信装置からテレビドアホン端末が収容されている電話システムの電話番号へ映像通信による発信を行うことで、テレビドアホン端末装置との映像通信が確立することができるので、外出先などからも容易にテレビドアホン端末装置が撮影している映像を確認することが可能となる。
【００３７】
［第２の実施の形態］
次に、第２の実施の形態に係る電話システムについて説明する。
なお、本実施の形態に係る電話システムの構成要素について、第１の実施の形態において説明した構成要素と同一の構成および機能を有するものには、同一の符号を付し、詳細な説明は省略する。
図６は、第２の実施の形態に係る電話システム２０の構成を示すブロック図である。本実施の形態に係る電話システムは、複数の内線端末が接続され、テレビドアホン装置を内線端末として収容してこの内線端末を通信網に対して交換接続するボタン電話装置やＰＢＸシステムといった電話システムであって、着信呼の着信種別のうち特に映像通信を要求する着信呼の表示画面サイズの条件に応じて着信先を選択して振り分けるものである。
【００３８】
図６に示すように、本実施の形態に係る電話システム２０は、電話制御装置２１０とテレビドアホン端末装置１２０と電話端末装置１３０（１３０−１〜１３０−ｎ）とから構成されている。
電話制御装置２１０は、ネットワーク１に接続されるとともに、このネットワーク１に対して交換接続するテレビドアホン端末装置１２０と電話端末装置１３０とを収容して、ネットワーク１を介して通信装置１１などの通信相手からの呼び出し信号を受信すると、この呼び出し信号に応じた着信応答処理を行い、収容する内線端末と通信相手との通信を確立する。
【００３９】
この電話制御装置２１０は、外線Ｉ／Ｆ部１１１と内線Ｉ／Ｆ部１１２とスイッチ部１１３とＣＰＵ２１４とメモリ２１５とから構成されている。
ＣＰＵ２１４は、後述するメモリ２１５に格納されている各種プログラムと協働することによって、電話制御装置２１０の動作を制御する制御部２１４Ａとして作用し、ネットワーク１からの着信を検出すると、収容する内線端末を呼び出したり、この呼び出しに内線端末が応答すると、スイッチ部１１３を制御して、この応答した内線端末とネットワーク１とを交換接続したりする。
本実施の形態に係る電話システムにおいては、制御部２１４Ａは、ネットワーク１からの着信が所定の条件を満たすときはその着信に応じてテレビドアホン端末装置１２０を呼び出すドアホン呼び出し部２１４Ａ−１と、テレビドアホン端末装置１２０からの応答信号を受信すると、テレビドアホン端末装置１２０と発側端末との通信路を形成して、映像データをこの通信路に対して出力するドアホン接続部２１４Ａ−２を備えている。
【００４０】
メモリ２１５には、ＣＰＵ２１４の動作に必要なプログラム、自装置が収容する内線端末（テレビドアホン端末装置１２０および他の電話端末装置１３０）の装置性能などに関する情報（以後、「装置情報」とする。）が記憶されている。特に、テレビドアホン端末装置１２０の装置情報として、このテレビドアホン端末装置１２０が出力する映像データの表示画面サイズの条件を含んだ情報を記憶している。また、このメモリ２１５には、自装置が収容する内線端末の通話状態などの動作状態情報についても記憶する。
【００４１】
次に、本実施の形態に係る電話システムの動作について説明する。
図７は、第２の実施の形態に係る電話システム２０の電話制御装置２１０のドアホンリモートアクセス準備手段とドアホンリモートアクセス開始手段の動作を示すフローチャートである。
図７に示すように、外部より着信を受けると、電話制御装置２１０のドアホン呼び出し部２１４Ａ−１はこの着信呼の判定を行い、音声通信としての呼制御を行うか、テレビドアホン端末装置１２０を呼び出す呼制御を行うかを判断する（S20-m）。
【００４２】
音声通信としての呼制御を行う場合（S20-mで「No」）、電話制御装置２１０は、この着信呼に対して音声電話端末などの電話端末装置１３０を呼び出す（S21-m）。
テレビドアホン端末装置１２０を呼び出す呼制御を行う場合（S20-mで「Yes」）、電話制御装置２１０は、通信装置１１に対してテレビドアホン端末装置１２０への接続認証を行う（S22-m）。
【００４３】
接続認証を経た後に、ドアホン呼び出し部２１４Ａ−１は、この映像通信を要求する着信呼の画面サイズの情報が、テレビドアホン端末装置１２０が撮影し出力する映像データの画素数によって決定する画面サイズの条件に合致しているか否かを判定する（S23-m）。電話制御装置２１０のメモリ２１５には、上述したように、電話制御装置２１０に接続されている内線端末の装置情報が格納されており、特に、テレビドアホン端末装置１２０の撮像部１２２が撮影して出力する映像データの画素数によって決定される画面サイズの条件についても常置情報に含まれて記憶されている。
【００４４】
ここで、ドアホン呼び出し部２１４Ａ−１が行う画面サイズの判定について説明する。例えば、外線Ｉ／Ｆ部１１１で受けた映像通信を要求する着信呼が、第１の実施の形態において説明したＩＰネットワークを介して受信したＶｏＩＰによるＩＰ電話のものである場合、この着信呼には着信種別の属性情報が含まれている。この属性情報に含まれる映像通信を表すＶｉｄｅｏ属性の画面サイズの情報が、メモリ２１５に格納されているテレビドアホン端末装置１２０が出力する映像データの画面サイズの条件に合致するか否かを判断することによってなされる。
【００４５】
着信呼における画面サイズの情報とテレビドアホン端末装置１２０における画面サイズの条件が合致した場合（S23-mで「Yes」）、ドアホン接続部２１４Ａ−２は、テレビドアホン端末装置１２０を呼び出す（S24-m）。
着信呼における画面サイズの情報とテレビドアホン端末装置１２０における画面サイズの条件が合致しなかった場合（S23-mで「No」）、電話制御装置２１０は、通信装置１１へテレビドアホン端末装置１２０を呼び出せない旨の映像通信不可通知を行い（S25-m）、この映像通信不可通知に応じた通信装置１１から応答に応じて音声通信へ切り替える等の動作を行う（S26-m）。
【００４６】
ここで、映像通信不可通知の一例について説明する。電話制御装置２１０は、例えば、「画面サイズがサポートできないためにテレビドアホンとの接続ができません」といったメッセージを通信装置１１へ送出するなどしても良い。さらに、電話制御装置２１０は、映像通信不可通知と合わせて音声通信へ切り替えるか否かの選択要求を通信装置１１に対して行い、その応答に基づいて、通信装置１１からの着信呼を音声通信へ切り替えるか、着信呼を切断するかの動作としても良い。
また、電話制御装置２１０に収容される内線端末として、当該着信呼の画面サイズの条件に合致する画面サイズの条件を有するテレビ電話端末装置が接続されているならば、電話制御装置２１０は、そのテレビ電話端末装置と映像通信を開始するか否かの選択要求も合わせて通信装置１１に対して行い、その応答に基づいて音声通信へ切り替えるか、着信呼を切断するか、他の映像通信可能となる内線端末との間で映像通信を行うかの動作としても良い。
さらに、画面サイズの条件以外にも、映像コーデックの種類、例えば、ＭＰＥＧ−２、ＭＰＥＧ−４、モーションＪＰＥＧといった映像コーデックの種類に応じて着信先を選択して振り分ける動作としても良い。
【００４７】
次に、ドアホン接続部２１４Ａ−２は、テレビドアホン端末装置１２０に対して呼び出しを行った後に、テレビドアホン端末装置１２０からこの着信呼に応じた着信応答を受信すると、スイッチ部１１３を制御することによってテレビドアホン端末装置１２０とネットワーク１とを接続し、通信端末１１とテレビドアホン端末装置１２０との両者間による映像通信を開始させる（S27-m）。
【００４８】
電話制御装置２１０は、映像通信若しくは音声通信の切断要求の受信待機状態となり（S28-m）、切断要求を受信した場合には（S28-mで「Yes」）外線Ｉ／Ｆ部１１１、内線Ｉ／Ｆ部１１２に対して切断信号を出力しこの呼を切断する（S29-m）。切断要求を受信しない間は（S28-mで「No」）、この呼を維持する。
【００４９】
次に、本実施の形態において通信装置１１によって外部から電話システム２０にアクセスしテレビドアホン端末装置１２０と映像通信を開始するまでの動作シーケンスを図８を参照して説明する。
図８に示すように、電話システム装置２０の電話制御装置２１０は、電話番号［ｂｂｂ］が割り当てられていることとし、メモリ２１５に格納されている内線端末の装置情報のうち、テレビドアホン端末装置１２０の装置情報として［画面サイズ：Ａ〜Ｄ］が記憶されている（S200）。
【００５０】
電話番号が［ａａａ］である通信装置１１によってテレビドアホン端末装置１２０が撮影する映像を確認したい場合、この通信装置１１から電話番号［ｂｂｂ］へ映像通信を要求する発信を行う。このとき、通信装置１１の画面サイズはＢの条件による映像通信を要求する発信を行ったこととする（S201）。
この着信呼を受けた電話制御装置２１０は、映像通信を要求する着信呼であるか否かの判定を行い、映像通信を要求する着信呼であったならば通信装置１１に対して暗証番号などを利用したテレビドアホン端末装置１２０との接続認証を行う（S202）。
【００５１】
電話制御装置２１０は、通信装置１１との接続認証を経て、この着信呼の画面サイズ判定を行う。着信呼の画面サイズ条件はＢであり、テレビドアホン端末装置１２０の画面サイズはＡ〜Ｄであるので、両者の画面サイズは合致する。したがって、電話制御装置２１０は、この着信呼に対してテレビドアホン端末装置１２０を呼び出す（S203）。
この着信呼に対する呼び出しを受信したテレビドアホン端末装置１２０は、電話制御装置２１０へこの呼び出しに対する応答信号を送信する。この電話制御装置２１０はこの応答信号を受信すると、通信装置１１とドアホン端末装置１２０との間に通信路を形成して、テレビドアホン端末装置１２０より出力される映像データや通信装置１１から送信される映像データをこの通信路に出力する。また、必要に応じて音声データも付加した通信を行っても良い。
【００５２】
次に、本実施の形態において通信装置１１によって外部から電話システム２０にアクセスしテレビドアホン端末装置１２０と映像通信を行うことができない場合の動作シーケンスを図９を参照して説明する。
図９に示すように、電話システム装置２０の電話制御装置２１０は電話番号［ｂｂｂ］が割り当てられ、メモリ２１５に格納されているテレビドアホン端末装置１２０の装置情報として［画面サイズ：Ａ〜Ｄ］が記憶されている（S200）。
【００５３】
電話番号が［ａａａ］である通信装置１１から、電話番号［ｂｂｂ］へ映像通信を要求する発信を行う。通信装置１１の画面サイズがＥの条件によって映像通信を要求する発信を行ったこととする。
この着信呼を受けた電話制御装置２１０は、映像通信を要求する着信呼であるか否かの判定を行い、映像通信を要求する着信呼であったならば、通信装置１１に対して暗証番号などを利用したテレビドアホン端末装置１２０との接続認証を行う（S212）。
【００５４】
電話制御装置２１０は、通信装置１１との接続認証を経て、この着信呼の画面サイズ判定を行う（S213）。この着信呼の画面サイズ条件はＥであり、テレビドアホン端末装置１２０の画面サイズはＡ〜Ｄであるので、両者の画面サイズは合致しない。したがって、電話制御装置２１０は、この着信呼はテレビドアホン端末装置へ接続できない着信呼であると判定し（S213）、テレビドアホン端末装置１２０と映像通信を開始することができない旨の映像通信不可通知を通信装置１１に対して行う（S214）。
映像通信不可通知受信した通信装置１１ならびに映像通信不可通知を送信した電話制御装置２１０は呼を切断する（S215）。
【００５５】
このように、テレビドアホン端末装置が出力する映像データの画面サイズの条件に合致した着信呼に応じてテレビドアホン端末装置を呼び出して映像通信を開始させることにより、予めテレビドアホン端末装置への接続許可番号を設定する必要がなくなり、映像通信可能な通信装置であればテレビドアホン端末装置に接続することが可能となる。これにより、外出先などから通信装置の自電話番号に依存することなく容易にテレビドアホン端末装置によって撮影される映像を確認することが可能となる。
【産業上の利用可能性】
【００５６】
テレビドアホン端末装置を内線端末として収容し通信網に対して交換接続するボタン電話システムやＰＢＸシステムといった電話システムに利用できる。
【符号の説明】
【００５７】
１…ネットワーク（通信網）、１０，２０…電話システム、１１…通信装置、１１０，２１０…電話制御装置、１１１…外線Ｉ／Ｆ部、１１２，１２１…内線Ｉ／Ｆ部、１１３…スイッチ、１１４，１２４，２１４…ＣＰＵ（中央演算装置）、１１４Ａ，２１４Ａ…制御部、１１４Ａ−１，２１４Ａ−１…ドアホン呼び出し部、１１４Ａ−２…ドアホン接続部、１１５，１２５，２１５…メモリ、１２０…テレビドアホン端末装置、１２２…撮像部、１２３…音声入出力部、１３０（１３０−１〜１３０−ｎ）…電話端末装置（音声電話機など）。
【図１】
2010233179.tif 000003
【図２】
2010233179.tif 000004
【図３】
2010233179.tif 000005
【図４】
2010233179.tif 000006
【図５】
2010233179.tif 000007
【図６】
2010233179.tif 000008
【図７】
2010233179.tif 000009
【図８】
2010233179.tif 000010
【図９】
2010233179.tif 000011